(57)【要約】      （修正有）【課題】画像データに添付した位置情報に基づいて画像データのセキュリティーを向上させることが可能な画像処理システム及び方法を提供する。【解決手段】位置情報受付部２０２は、ユーザーから、画像データの受信予定者が画像データを扱う装置の場所を示す位置情報の入力を受け付ける。位置情報添付部２０３は、位置情報が入力されると、送信対象の画像データに、位置情報を添付する。画像位置送信部２０４は、ユーザーから送信先を受け付けて、送信先に、位置情報が添付された画像データを送信する。位置情報判定部２０６は、ユーザーから、位置情報が添付された画像データの処理の指示を受け付けると、位置情報が、第二の画像処理装置の登録位置情報と一致するか否かを判定する。画像処理部２０７は、位置情報が登録位置情報と一致する場合、位置情報が添付された画像データを、指示に対応して処理する。【選択図】図２
2016092520.tif 000002
【特許請求の範囲】
【請求項１】
第一の画像処理装置と第二の画像処理装置とを含む画像処理システムであって、
前記第一の画像処理装置は、
ユーザーから、画像データの受信予定者が画像データを扱う装置の場所を示す位置情報の入力を受け付ける位置情報受付部と、
前記位置情報が入力されると、送信対象の画像データに、当該位置情報を添付する位置情報添付部と、
ユーザーから送信先を受け付けて、当該送信先に、前記位置情報が添付された画像データを送信する画像位置送信部と、
を備え、
前記第二の画像処理装置は、
ユーザーから、前記位置情報が添付された画像データの処理の指示を受け付けると、当該位置情報が、当該第二の画像処理装置の登録位置情報と一致するか否かを判定する位置情報判定部と、
前記位置情報が前記登録位置情報と一致する場合、当該位置情報が添付された画像データを、前記指示に対応して処理する画像処理部と、
を備えることを特徴とする画像処理システム。
【請求項２】
前記画像処理部は、前記位置情報が前記登録位置情報と一致しない場合、前記指示に対応する、当該位置情報が添付された画像データの処理を禁止する
請求項１に記載の画像処理システム。
【請求項３】
前記位置情報添付部は、前記位置情報を添付する際に、前記画像データの形式が、位置情報を添付不可の形式であれば、当該画像データの形式を、汎用的なＪＰＥＧベースのＥｘｉｆ規格に準拠させた上で、当該形式が変更された画像データに前記位置情報を添付する
請求項１又は２に記載の画像処理システム。
【請求項４】
前記第二の画像処理装置は、ＧＰＳ機能又はＷｉ−Ｆｉ機能を含む位置情報取得部を更に備え、
前記位置情報判定部が、前記位置情報取得部から第二の画像処理装置の登録位置情報を取得し、前記画像データの位置情報が、前記登録位置情報を中心として所定の幅の半径の円の範囲内に含まれるか否かを判定することで、前記登録位置情報と一致するか否かを判定する
請求項１−３のいずれか一項に記載の画像処理システム。
【請求項５】
第一の画像処理装置と第二の画像処理装置とを含む画像処理システムの画像処理方法であって、
前記第一の画像処理装置で、ユーザーから、画像データの受信予定者が画像データを扱う装置の場所を示す位置情報の入力を受け付ける位置情報受付ステップと、
前記第一の画像処理装置で、前記位置情報が入力されると、送信対象の画像データに、当該位置情報を添付する位置情報添付ステップと、
前記第一の画像処理装置で、ユーザーから送信先を受け付けて、当該送信先に、前記位置情報が添付された画像データを送信する画像位置送信ステップと、
前記第二の画像処理装置で、ユーザーから、前記位置情報が添付された画像データの処理の指示を受け付けると、当該位置情報が、当該第二の画像処理装置の登録位置情報と一致するか否かを判定する位置情報判定ステップと、
前記第二の画像処理装置で、前記位置情報が前記登録位置情報と一致する場合、当該位置情報が添付された画像データを、前記指示に対応して処理する画像処理ステップと、
を備えることを特徴とする画像処理方法。
【発明の詳細な説明】
【技術分野】
【０００１】
本発明は、画像処理システム及び画像処理方法に関する。
【背景技術】
【０００２】
スキャナー、複写機、複合機等の画像処理装置において画像データのセキュリティーに関する技術は多種存在する。例えば、特開２００８−１１４７７号公報（特許文献１）には、文書部品を含む電子文書の画像の使用を文書部品単位で制御可能とする画像読取装置が開示されている。又、特開２００８−９５５６号公報（特許文献２）には、現在位置が含まれる場所の属性に基づいて記憶装置に記憶されているデータの漏洩を防止する情報漏洩防止装置が開示されている。又、特開２００８−２０４０７０号公報（特許文献３）には、データの利用に際して専用の高価な端末等を用いることなく、所定の場所から持ち出されたデータの利用を制限することが出来る文書ファイル生成装置が開示されている。
【０００３】
又、特開２００９−２３７６２５号公報（特許文献４）には、ユーザーに提供されたユーザーデータを予め決めた範囲内にのみ利用でき、ユーザーデータへのアクセスを追跡し、監視するための電子データ管理方法が開示されている。又、特開２０１１−６６７１４号公報（特許文献５）には、自動又は少ない作業工数で画像形成装置の機能やセキュリティーを当該画像形成装置の設置場所に対応して変更することが可能な画像形成システムが開示されている。又、特開２０１３−５４４６４号公報（特許文献６）には、コスト及びネットワーク通信の負荷をかけずに、画像形成装置の設置位置が変更されているか否かをユーザーに提示する情報処理装置が開示されている。
【先行技術文献】
【特許文献】
【０００４】
【特許文献１】特開２００８−１１４７７号公報
【特許文献２】特開２００８−９５５６号公報
【特許文献３】特開２００８−２０４０７０号公報
【特許文献４】特開２００９−２３７６２５号公報
【特許文献５】特開２０１１−６６７１４号公報
【特許文献６】特開２０１３−５４４６４号公報
【発明の概要】
【発明が解決しようとする課題】
【０００５】
近年、所定のフォーマット（例えば、ＰＤＦ等）の画像データに地理情報システム（ＧＩＳ）の位置情報を付加する技術が登場してきているものの、この技術を画像データのセキュリティー面で十分に活用出来ていないという課題がある。上述した特許文献１−５に記載の技術では、画像データの位置情報を活用出来ていないという課題がある。又、上述した特許文献６に記載の技術では、位置情報に応じてセキュリティーレベルを変更するため、画像データの完全なセキュリティーを担保出来ないという課題がある。
【０００６】
そこで、本発明は、前記課題を解決するためになされたものであり、画像データの位置情報に基づいて当該画像データのセキュリティーを向上させることが可能な画像処理システム及び画像処理方法を提供することを目的とする。
【課題を解決するための手段】
【０００７】
本発明の一の局面に係る画像処理システムは、第一の画像処理装置と第二の画像処理装置とを含む画像処理システムであって、前記第一の画像処理装置は、位置情報受付部と、位置情報添付部と、画像位置送信部と、を備え、前記第二の画像処理装置は、位置情報判定部と、画像処理部と、を備える。位置情報受付部は、ユーザーから、画像データの受信予定者が画像データを扱う装置の場所を示す位置情報の入力を受け付ける。位置情報添付部は、前記位置情報が入力されると、送信対象の画像データに、当該位置情報を添付する。画像位置送信部は、ユーザーから送信先を受け付けて、当該送信先に、前記位置情報が添付された画像データを送信する。位置情報判定部は、ユーザーから、前記位置情報が添付された画像データの処理の指示を受け付けると、当該位置情報が、当該第二の画像処理装置の登録位置情報と一致するか否かを判定する。画像処理部は、前記位置情報が前記登録位置情報と一致する場合、当該位置情報が添付された画像データを、前記指示に対応して処理する。
【０００８】
本発明の一の局面に係る画像処理方法は、第一の画像処理装置と第二の画像処理装置とを含む画像処理システムの画像処理方法であって、前記第一の画像処理装置で、位置情報受付ステップと、位置情報添付ステップと、画像位置送信ステップと、を備え、前記第二の画像処理装置は、位置情報判定ステップと、画像処理ステップと、を備える。位置情報受付ステップは、ユーザーから、画像データの受信予定者が画像データを扱う装置の場所を示す位置情報の入力を受け付ける。位置情報添付ステップは、前記位置情報が入力されると、送信対象の画像データに、当該位置情報を添付する。画像位置送信ステップは、ユーザーから送信先を受け付けて、当該送信先に、前記位置情報が添付された画像データを送信する。位置情報判定ステップは、ユーザーから、前記位置情報が添付された画像データの処理の指示を受け付けると、当該位置情報が、当該第二の画像処理装置の登録位置情報と一致するか否かを判定する。画像処理ステップは、前記位置情報が前記登録位置情報と一致する場合、当該位置情報が添付された画像データを、前記指示に対応して処理する。
【発明の効果】
【０００９】
本発明の画像処理システム及び画像処理方法によれば、安価に画像データのセキュリティーを向上させることが可能となる。
【図面の簡単な説明】
【００１０】
【図１】本発明に係る画像処理システムの全体構成を示す概念図である。
【図２】本発明の実施形態における画像処理システムの機能ブロック図である。
【図３】本発明の実施形態の実行手順を示すためのフローチャートである。
【図４】本発明の実施形態における画像処理システムの概要の一例を示す図である。
【発明を実施するための形態】
【００１１】
以下に、添付図面を参照して、本発明の画像処理システム及び画像処理方法の実施形態について説明し、本発明の理解に供する。尚、以下の実施形態は、本発明を具体化した一例であって、本発明の技術的範囲を限定する性格のものではない。又、フローチャートにおける数字の前に付されたアルファベットＳはステップを意味する。
【００１２】
以下に、本発明の実施形態の一例として、複数の画像処理装置を含む画像処理システムについて説明する。尚、本発明の画像処理装置は、例えば、ファクシミリ、コピー、スキャナー、プリンター等の機能を備えた複合機（ＭＦＰ：Ｍｕｌｔｉ  Ｆｕｎｃｔｉｏｎ  Ｐｅｒｉｐｈｅｒａｌ）が該当する。
【００１３】
画像処理システム１の第一の複合機１００は、図１に示すように、タッチパネルを含む操作部１０１を介してユーザーから所定のジョブの設定条件を受け付けると、画像読取制御部１０２、画像送信制御部１０３、画像形成制御部１０４等の各部を駆動し、当該ジョブを提供する。画像読取制御部１０２は、画像読取ジョブを受けると、画像読取部を駆動し、読取台（原稿台）上に載置された原稿等の画像データを読み取る。画像送信制御部１０３は、画像送信ジョブを受けると、通信部を駆動し、ネットワーク１０５を介して所定の送信先に画像データを送信する。画像形成制御部１０４は、画像形成ジョブを受けると、画像処理部、定着部、用紙搬送部等を駆動し、所定の画像データに基づいて画像形成を実行する。
【００１４】
第一の複合機１００は、ネットワーク１０５を介して第二の画像処理装置１０６（第二の複合機）と通信可能に接続されている。第二の複合機１０６の機能は、第一の複合機１００の機能と同様であり、操作部１０７、画像読取制御部１０８、画像送信制御部１０９、画像形成制御部１１０を備える。第一の複合機１００と第二の複合機１０６とは画像処理システム１を構成する。
【００１５】
尚、第一の複合機１００、第二の複合機１０６の制御回路は、図示しないが、ＣＰＵ（Ｃｅｎｔｒａｌ  Ｐｒｏｃｅｓｓｉｎｇ  Ｕｎｉｔ）、ＲＯＭ（Ｒｅａｄ  Ｏｎｌｙ  Ｍｅｍｏｒｙ）、ＲＡＭ（Ｒａｎｄｏｍ  Ａｃｃｅｓｓ  Ｍｅｍｏｒｙ）、ＨＤＤ（Ｈａｒｄ  Ｄｉｓｋ  Ｄｒｉｖｅ）、各駆動部に対応するドライバーを内部バスによって接続している。第一の複合機１００、第二の複合機１０６のＣＰＵは、例えば、ＲＡＭを作業領域として利用し、ＲＯＭ、ＨＤＤ等に記憶されているプログラムを実行し、当該実行結果に基づいてドライバーからのデータ、指示、信号、命令等を授受し、各種処理の実行に関する各駆動部の動作を制御する。又、駆動部以外の後述する各部（図２に示す）についても、ＣＰＵが、各プログラムを実行することで当該各部を実現する。ＲＯＭ、ＲＡＭ、ＨＤＤ等には、以下に説明する各部を実現するプログラムやデータが記憶されている。
【００１６】
次に、図２、図３を参照しながら、本発明の実施形態に係る構成及び実行手順について説明する。先ず、送信元のユーザーＡが、第一の複合機１００を起動すると、当該第一の複合機１００の表示受付部２０１が、操作部１０１のタッチパネル上に所定の操作画面を表示する（図３：Ｓ１０１）。
【００１７】
ユーザーＡは、前記操作画面の中から、受信予定者の位置情報を含む画像データの送信モードを入力すると、表示受付部２０１が当該送信モードを受け付けて（図３：Ｓ１０２）、その旨を位置情報受付部２０２に通知する。当該通知を受けた位置情報受付部２０２は、ユーザーＡから、画像データの受信予定者が画像データを扱う装置の場所を示す位置情報の入力を受け付ける（図３：Ｓ１０３）。尚、前記位置情報は、所定の場所を特定出来る情報であれば、特に限定は無く、例えば、住所、緯度及び経度等を挙げることが出来る。
【００１８】
ここで、位置情報受付部２０２が受け付ける方法に特に限定は無い。例えば、位置情報受付部２０２は、所定の画面に、受信予定者の位置情報に対応する住所の入力欄を表示して、ユーザーＡからキーボードキーの操作により当該住所の入力を受け付ける。又、位置情報受付部２０２は、ネットワークを介して広く一般に使用されているネットマップ（電子地図、ＧｏｏｇｌｅＭａｐ等）を表示して、ユーザーＡから受信予定者の位置情報に対応する特定の住所の選択により当該住所の入力を受け付ける。これにより、送信者のユーザーＡの負担を軽減出来る。
【００１９】
さて、位置情報受付部２０２が受信予定者の位置情報の入力を受け付けると、その旨を位置情報添付部２０３に通知する。当該通知を受けた位置情報添付部２０３は、送信対象の画像データに、前記受け付けた受信予定者の位置情報を添付する。
【００２０】
ここで、位置情報添付部２０３が添付する方法に特に限定は無い。例えば、第一の複合機１００から所定の送信先へ画像データを送信する場合、位置情報添付部２０３は、タッチパネル上に送信対象の画像データの読み取りを促す旨の画像読取画面を表示させる。ユーザーＡは、前記画像読取画面を見ながら、原稿を読取台上に載置して、画像読取キーを選択すると、位置情報添付部２０３は、画像読取制御部１０２に、前記原稿の画像データを読み取らせる（図３：Ｓ１０４）。
【００２１】
次に、位置情報添付部２０３は、前記読み取らせた画像データに前記位置情報を添付する（図３：Ｓ１０５）。ここで、位置情報添付部２０３が位置情報を添付する際に、前記画像データの形式が、位置情報を添付不可の形式であれば、当該画像データの形式を、位置情報が添付可能な形式（例えば、ＪＰＥＧ）に変更した上で、前記位置情報を添付する。ここで、前記画像データの形式を、汎用的なＪＰＥＧベースのＥｘｉｆ規格に準拠させた上で、当該形式が変更された画像データに前記位置情報を添付する。これにより、位置情報として、経度（北緯南緯）、経度（東経西経）、高度の詳細情報を画像データ（ＪＰＥＧファイル）に添付することが可能となる。
【００２２】
尚、上述では、位置情報添付部２０３が、画像データを読み取らせるよう構成したが、他の構成でも良く、例えば、所定のメモリーに予め送信対象の画像データが記憶されている場合には、位置情報添付部２０３が、ユーザーＡから前記メモリーの画像データの選択を受け付けて、当該選択された画像データに位置情報を添付するよう構成しても良い。この構成は、例えば、第一の複合機１００に代えて、端末装置、一般的な画像処理装置に位置情報添付部２０３が設けられる場合に好適である。
【００２３】
さて、位置情報添付部２０３が添付を完了すると、その旨を画像位置送信部２０４に通知し、当該通知を受けた画像位置送信部２０４は、ユーザーＡから送信先を受け付けて、当該送信先に、前記位置情報が添付された画像データを送信する（図３：Ｓ１０６）。
【００２４】
ここで、画像位置送信部２０４が送信する方法に特に限定は無い。例えば、画像位置送信部２０４は、タッチパネル上に送信先の情報（ＦＡＸ番号、メールアドレス等）の入力を促す旨の送信先入力画面を表示させる。ユーザーＡは、前記送信先入力画面を見ながら、所定のキーボードキーを操作して、送信先の情報（例えば、第二の複合機１０６）を入力し、送信キーを選択すると、画像位置送信部２０４は、画像送信制御部１０３を介して、図４に示すように、前記入力された送信先の第二の複合機１０６に、前記位置情報４００が添付された画像データ４０１を送信する。
【００２５】
一方、送信先の第二の複合機１０６が、前記位置情報４００を含む画像データ４０１を受信すると（図３：Ｓ１０７）、当該第二の複合機１０６の制御部２０５が、当該画像データ４０１を所定のメモリーに一時的に記憶させる。これにより、前記画像データ４０１を第二の複合機１０６で扱えるようになる。
【００２６】
ここで、送信先のユーザーＢが、第二の複合機１０６に訪れて、第二の複合機１０６を起動させ、操作部１０７のタッチパネルを介して、前記画像データ４０１の処理（例えば、表示又は印刷）の指示を入力する。すると、第二の複合機１０６の制御部２０５が当該指示を受け付けて（図３：Ｓ１０８）、その旨を位置情報判定部２０６に通知する。当該通知を受けた位置情報判定部２０６は、前記画像データ４０１に添付された位置情報４００が、第二の複合機１０６の登録位置情報と一致するか否かを判定する（図３：Ｓ１０９）。
【００２７】
ここで、位置情報判定部２０６が判定する方法に特に限定は無い。例えば、第二の複合機１０６の登録位置情報が所定のメモリーに予め登録されている場合には、位置情報判定部２０６が、前記メモリーから第二の複合機１０６の登録位置情報を取得し、前記画像データ４０１の位置情報４００が前記登録位置情報と一致するか否かを判定する。又、第二の複合機に、ＧＰＳ機能やＷｉ−Ｆｉ機能により位置情報取得部４０３が予め設けられている場合には、位置情報判定部２０６が、前記位置情報取得部４０３から第二の複合機１０６の登録位置情報を取得し、前記画像データ４０１の位置情報４００が前記登録位置情報と一致するか否かを判定する。ここで、前記位置情報４００が前記登録位置情報と厳密に一致する必要は無く、前記位置情報４００が、前記登録位置情報を中心として所定の幅の半径（例えば、数十ｍ等）の円の範囲内に含まれるか否かを判定することで、前記登録位置情報と一致するか否かを判定する。前記位置情報４００が前記円の範囲内に含まれる場合は、前記位置情報４００が前記登録位置情報と一致する。前記位置情報４００が前記円の範囲内に含まれない場合は、前記位置情報４００が前記登録位置情報と一致しない。これにより、ＧＰＳ機能やＷｉ−Ｆｉ機能により取得される登録位置情報がノイズ等を含み、第二の複合機１０６の位置情報を正確に反映出来ない場合であっても、位置情報判定部２０６は、前記位置情報４００が前記登録位置情報と一致すると判定することが出来る。
【００２８】
前記判定の結果、前記位置情報４００が前記登録位置情報と一致する場合、位置情報判定部２０６は、その旨を画像処理部２０７に通知する。当該通知を受けた画像処理部２０７は、前記位置情報４００が添付された画像データ４０１を、前記指示に対応して処理する（図３：Ｓ１１０）。
【００２９】
画像処理部２０７が処理する方法に特に限定は無い。例えば、送信先のユーザーＢが前記画像データ４０１の表示の指示を入力した場合には、画像処理部２０７は、当該画像データ４０１をタッチパネル上に表示させる。又、送信先のユーザーＢが前記画像データ４０１の印刷の指示を入力した場合には、画像処理部２０７は、画像形成制御部１１０を介して、前記画像データ４０１に基づいて印刷を実行する。このように、画像データ４０１の送信先（扱い先）の位置情報と当該画像データ４０１の位置情報４００とを照合することで、位置情報を管理するセキュリティー管理サーバーを設けること無く（低コストで）、機密情報又は個人情報を含む画像データを安全に取り扱うことが可能となる。
【００３０】
又、送信元が送信先の位置情報を添付（指定）することで、送信元が意図した送信先のみ画像データ４０１を扱うことが出来るようになるため、送信元は安心して画像データを送信することが可能となる。
【００３１】
ここで、画像処理部２０７が画像データ４０１を処理する内容として、表示、印刷の他に、複製や加工、他の送信者へのファクシミリ送信やメール送信も挙げることが出来る。
【００３２】
一方、Ｓ１０９において、前記判定の結果、前記位置情報４００が前記登録位置情報と一致しない場合、位置情報判定部２０６は、その旨を画像処理部２０７に通知する。当該通知を受けた画像処理部２０７は、前記指示に対応する画像データ４０１の処理を禁止する（図３：Ｓ１１１）。
【００３３】
ここで、画像処理部２０７が禁止する方法に特に限定は無い。例えば、画像処理部２０７が、タッチパネルを介して、前記画像データ４０１の処理を禁止する旨の禁止画面を表示したり、単に、操作画面に自動的に移行させたりする。これにより、送信元が意図しない送信先では、画像データ４０１自体を処理出来なくなるため、セキュリティーを高めることが可能となる。例えば、送信先のユーザーＢがコンビニ等で画像データ４０１を処理することが出来ず、自分の事務所や会社でのみ画像データ４０１を処理することになるから、画像データ４０１のセキュリティーを向上させることが可能となる。
【００３４】
尚、上述では、前記画像データ４０１の処理を第二の複合機１０６が実施するよう構成したが、画像データ４０１の処理が可能な端末装置、一般的な画像処理装置であっても構わない。
【００３５】
又、本発明の実施形態では、画像処理システムの第一の複合機１００、第二の複合機１０６が各部を備えるよう構成したが、当該各部を実現するプログラムを記憶媒体に記憶させ、当該記憶媒体を提供するよう構成しても構わない。当該構成では、前記プログラムを、第一の画像処理装置、第二の画像処理装置に読み出させ、第一の画像処理装置、第二の画像処理装置が前記各部を実現する。その場合、前記記録媒体から読み出されたプログラム自体が本発明の作用効果を奏する。さらに、各手段が実行するステップをハードディスクに記憶させる方法として提供することも可能である。
【産業上の利用可能性】
【００３６】
以上のように、本発明に係る画像処理システム及び画像処理方法は、複合機、複写機、プリンター、スキャナー等の画像処理装置を含む画像処理システムに有用であり、安価に画像データのセキュリティーを向上させることが可能な画像処理システム及び画像処理方法として有効である。
【符号の説明】
【００３７】
１００  第一の複合機
１０６  第二の複合機
２０１  第一の複合機の表示受付部
２０２  第一の複合機の位置情報受付部
２０３  第一の複合機の位置情報添付部
２０４  第一の複合機の画像位置送信部
２０５  第二の複合機の制御部
２０６  第二の複合機の位置情報判定部
２０７  第二の複合機の画像処理部
【図１】
2016092520.tif 000003
【図２】
2016092520.tif 000004
【図３】
2016092520.tif 000005
【図４】
2016092520.tif 000006